(57)【要約】【課題】通常は水洗式のトイレとして利用し、地震等の災害により水の供給が停止した非常時には簡単な操作によって水無しで利用ができる非常用トイレとなるような常用非常用兼用のトイレを提供する。【解決手段】和式の水洗式トイレ１において、便器２の底部に破断線２ａで囲まれた底板部２ｂを形成し、脆性を有する材料で形成した塞ぎ板３で該底板部２ｂを水密に下方から覆うと共に、該底板部２ｂの下方に糞尿槽４を設けて、前記底板部２ｂ及び前記塞ぎ板３を上方から突ついて破断させることにより、該便器２から糞尿を直接に前記糞尿槽４へ落とし込むように形成した。【選択図】図１
2010285789.tif 000002
【特許請求の範囲】
【請求項１】
洗浄用水の給水口と下水道への排出口とを有する便器を具備するトイレにおいて、該便器の底部に所要の開口部に沿った破断線で囲まれた底板部を設けると共に、前記底板部の下方に糞尿槽を設け、前記破断線に沿って前記底板部を破断して前記開口部を形成することにより糞尿を直接に前記糞尿槽へ落とし込むことが可能に形成した常用非常用兼用トイレ。
【請求項２】
前記破断線で囲まれた底板部を支持する支持板を前記便器の下面に係着して、前記底板部を衝撃により破断して前記底板部と共に該支持板が便器から脱落可能に形成した請求項１に記載の常用非常用兼用トイレ。
【請求項３】
前記便器は人が跨って用をたす方式の和風形とし、底部を半円筒状に突出する形状に形成した請求項１又は請求項２に記載の常用非常用兼用トイレ。
【請求項４】
前記底板部を囲む破断線は、前記便器の底部の後半部に、平面図が四角形を呈する形状に形成されており、予め切り込み等によって容易に破断する構造に形成されている請求項１乃至請求項３のいずれか１に記載の常用非常用兼用トイレ。
【請求項５】
前記便器は前記支持板と該便器との間にパッキンを介在させて、前記底板部が水密となるように形成されている請求項１乃至請求項４のいずれか１に記載の常用非常用兼用トイレ。
【発明の詳細な説明】
【技術分野】
【０００１】
本発明は地震等の災害発生によりトイレ洗浄水の供給が停止しても利用可能なトイレに関する。
【背景技術】
【０００２】
非常用トイレとしては、下水道マンホール上に設置する方式の便器付き非常用簡易トイレがある（例えば、特許文献１参照。）。
【０００３】
又、多数の人が利用可能な公衆トイレとして、非常時用トイレ設置構造が提案されている（例えば、特許文献２参照。）。
【先行技術文献】
【特許文献】
【０００４】
【特許文献１】特開２００６−３３４３６２号公報
【特許文献２】特開平８−３３８１４２号公報
【発明の概要】
【発明が解決しようとする課題】
【０００５】
本発明は、普段は水洗式のトイレとして利用し、一旦地震等により水の供給が停止した場合には、簡易な操作によって水無しで利用ができる非常用トイレに変換が可能な、常用非常用兼用のトイレを提供することを目的とする。
【課題を解決するための手段】
【０００６】
本発明は上記の目的を達成すべく、洗浄用水の給水口と下水道への排出口とを有する便器を具備するトイレにおいて、該便器の底部に所要の開口部に沿った破断線で囲まれた底板部を設けると共に、前記底板部の下方に糞尿槽を設け、前記破断線に沿って前記底板部を破断して前記開口部を形成することにより糞尿を直接に前記糞尿槽へ落とし込むことが可能に形成した。
【発明の効果】
【０００７】
本発明によれば、普段は水洗式のトイレとして使用し、地震等により水の供給が停止した場合には簡単な操作によって水無しで使用が可能な非常用トイレに変換ができるような常用非常用兼用トイレを提供できる効果を有する。
【図面の簡単な説明】
【０００８】
【図１】本発明の実施例１の常用非常用兼用トイレの側面図である。
【図２】同上トイレの平面図である。
【図３】図１におけるＸ−Ｘ線截断面図である。
【図４】同上トイレの非常用使用時の説明図である。
【図５】本発明の第２実施例の図３に相当する個所の截断面図である。
【発明を実施するための形態】
【０００９】
本発明を実施するための形態の実施例を以下に示す。
【実施例１】
【００１０】
本発明の常用非常用兼用トイレの実施例１を図１乃至図４により説明する。
【００１１】
図１は本発明の常用非常用兼用トイレ１の側面図、図２はその平面図である。
【００１２】
便器２は人が跨って用をたす方式の和風便器で、ステンレス鋼製である。
【００１３】
該便器２の前端部に洗浄用水の給水口５を有し、該便器２の前方部の底部に排出口６が設けられ、該排出口６を下水排管に連絡するトラップ配管６ａが排出方向の変更可能に該排出口６に接続している。
【００１４】
尚、６ａ´、６ａ´´はトラップ配管の排出方向を変えた例を示す。
【００１５】
前記便器２の後方部の底部には四角い破断線２ａで囲まれた底板部２ｂが嵌め込まれており、該底板部２ｂを下面から覆う支持板３が前記便器２の下面部に密着して係止されている。
【００１６】
前記支持板３は四角形の板を便器２の半円筒状に下方へ突出する底部に沿った丸味をもって形成された板状で、プラスチック等の脆性を有する材料からなり、図３に示す如く、便器２の外側面の上部にボルト７とナット８とで締め付けて係止されている。
【００１７】
支持板３と便器２との間にはパッキン３ａが介在していて、前記底板部２ｂを水密に密閉している。
【００１８】
ＦＬは便器２を据え付けたトイレの床面を示し、便器２の下には糞尿槽４が設けられている。
【００１９】
又、便器２の排出口６を塞ぐための丸い塞ぎ栓９（図４に示す）が、便器２の近辺に常備されている。
【００２０】
次に本実施例のトイレ１の使用方法及びその効果について説明する。
【００２１】
トイレ１は、例えば公衆トイレ等に、常用の水洗式トイレとして設置され、糞尿槽４は空となっている。
【００２２】
地震等の災害によりトイレ洗浄用水の給水が止まった場合には、便器２の前方部の底部にある排出口６を塞ぎ栓９で塞ぐと共に、便器２の後方部の底部の破断線２ａで囲まれた底板部２ｂを棒等の硬い器物で叩き、下側の支持板３と共に下方へ突き落とす。かくして該便器２の破断線２ａが開口し、糞尿槽４に連通するので、そのまま非常用トイレとして使用することができる。
【００２３】
このように本発明のトイレ１は、常用非常用兼用トイレとして短時間で変換されるので、災害発生時のトイレ不足対策に貢献する効果がある。
【実施例２】
【００２４】
本発明の常用非常用兼用トイレの実施例２を図５により説明する。
【００２５】
本実施例のトイレ１´は、実施例１の図３に示すＸ−Ｘ線截断面のボルト７とナット８とによる支持板３の便器２への係止方法に代って、図５に示す如く、リベット１０を用いて支持板３を便器２へ締結するようにした点が前記実施例１とは異なる。
【００２６】
該リベット１０は、軸部の中間にノッチ１０ａを有して、該リベット１０に強い剪断力が作用した場合に該ノッチ１０ａの部分でリベット１０が容易に切断されるようなぜい弱な構造となっている。
【００２７】
尚、図５は図１におけるＸ−Ｘ線截断面における実施例２の構造を示したが、その他の構造は実施例１と同じである。
【００２８】
実施例２の場合は支持板３が切断容易なリベット１０で便器２に締結されているので、非常用としてトイレ２を使用する場合は底板部２ｂを上方部から強く押圧することによりリベット１０が切断されて、底板部２ｂ及び支持板３が便器２より外れて下方へ落下し、トイレ２を非常用として使用することができる。
【産業上の利用可能性】
【００２９】
本発明は常用非常用兼用トイレは、非常時にも簡単に使える公衆トイレとして利用可能である。
【符号の説明】
【００３０】
１、１´    トイレ
２          便器
２ａ        破断線
２ｂ        底板部
３          支持板
３ａ        パッキン
４          糞尿槽
１０        リベット
【図１】
2010285789.tif 000003
【図２】
2010285789.tif 000004
【図３】
2010285789.tif 000005
【図４】
2010285789.tif 000006
【図５】
2010285789.tif 000007